(57)【特許請求の範囲】
【請求項１】
複数のパネルが横に並んで配置され、パネル（L1,L2）の第１の側縁（10）がＬ形部分となるように曲げられると共に、それの第２の側縁（11）がＺ形部分となるように曲げられ、曲げられたＬ形及びＺ形部分には壁パネルの高さ方向に相互に一定の間隔において延びる穴（12,12'）が設けられ、その結果、パネルが横に並んで配置された時に第２のパネル（L2）のＬ形部分を第１のパネル（L1）のＺ形部分に対して適合させることにより、二つのパネルの縁部分の穴が相互に対向し、そして
Ｕ字形の形状を有する舌条片（20）が第２のパネル（L2）のＬ形部分に対して適合され、Ｕ形断面の中間部分（21）には条片の高さ方向に延びる舌片（22）が設けられ、その舌片は形を合わせると共に寸法を合わせて作られることによって前記パネルの側縁の相互に対向して位置する穴（12,12'）の双方を通過し、そして
Ｕ字形の形状を有する楔条片（30）が第１のパネル（L1）のＺ形部分に対して適合され、Ｕ形断面の中間部分（31）には条片の高さ方向に延びる穴（32）が設けられ、その穴は形を合わせると共に寸法を合わせて作られることによって、その条片が前記Ｚ形部分に対向して置かれた時に舌片が穴（32）を通過し、そして
楔条片（30）が下方へ打ち込まれることにより条片の穴（32）の上縁（33）が舌片（22）によって形成されたポケット（23）の中に進入し、それによって複数のパネルが相互に取り付けられることを特徴とする壁パネル（L1,L2）を相互に取り付けるための方法。
【請求項２】
パネル（L1）の第１の側縁（10）がＬ形部分となるように曲げられると共に、それの第２の側縁（11）がＺ形部分となるように曲げられており、曲げられたＬ形及びＺ形部分には壁パネルの高さ方向に相互に一定の間隔をおいて延びる穴（12,12'）が設けられていて、その結果、パネル（L1）が第２のパネル（L2）の横に並んで配置された時に第２のパネル（L2）のＬ形部分を第１のパネル（L1）のＺ形部分に対して適合させることにより、二つのパネル（L1,L2）の縁部分の穴が相互に対向し、そして
Ｕ字形の形状を有する舌条片（20）がパネル（L1）のＬ形部分に対して適合されており、Ｕ形断面の中間部分（21）には舌条片の高さ方向に延びる上向きの舌片（22）が設けられ、その舌片が形を合わせると共に寸法を合わせて作られていることによって隣接したパネル（L1,L2）の側縁の相互に対向して位置する穴（12,12'）の双方を通過し、そして
Ｕ字形の形状を有する楔条片（30）が一時的にパネル（L1）のＺ形部分に対して取り付けられており、Ｕ形断面の中間部分（31）には楔条片の高さ方向に沿って延びる穴（32）が設けられており、その穴は形を合わせると共に寸法を合わせて作られることによって、舌片（22）が穴（32）を通過すると共に、楔条片（30）が下方へ打ち込まれた時にその楔条片の穴（32）の上縁（33）が舌片（22）によって形成されるポケット（23）の中へ進入し、それによってパネル（L1,L2）が相互に取り付けられることを特徴とする壁要素。
【請求項３】
楔条片（30）がパネルの縁部に取り付けられるように、楔条片が、それを打ち込む前の状態においてパネル自体よりも舌片１枚の長さだけ高く延びていることを特徴とする請求項２に記載された壁要素。
【請求項４】
楔条片（30）の上縁に穴（34）が設けられており、それによって楔条片（30）が固定或いは解放されることができることを特徴とする請求項２又は３に記載された壁要素。
【請求項５】
楔条片（30）の高さ方向に沿って設けられた穴（32）が上方で狭くなっていることを特徴とする請求項2,3又は４のいずれかに記載された壁要素。
【請求項６】
舌片（22）がＵ字形の中間部分（21）の一部から打ち抜かれると共に所望の様式に曲げられた条片であることを特徴とする請求項２ないし５のいずれかに記載された壁要素。
【請求項７】
適当な絶縁材がパネルの内側に取り付けられていることを特徴とする請求項２ないし６のいずれかに記載された壁要素。
【発明の詳細な説明】
本発明は複数の壁パネルを相互に取り付けるための方法及び新しい壁要素に関する。
公知の間仕切りパネル或いは壁要素の方法によれば、特に船の健造に使用される所謂カセットの取り付けにおいては、カバー条片によって保護され得る取り付け具の先端が、床及び天井においてのみ相互に取り付けられる。取り付け具の先端をカバーする保護条片の切り離しが必要になるので、複数のパネルの全てを中間において相互に取り付けることはできない。この取り付け方法による場合の問題は中間において要素の間にたやすく隙間ができることである。他の問題は複数の要素の下手な配列が平坦でない壁の表面をもたらすかも知れないということである。
様々な取り付け機構もまた提案されて来ている。それによれば、複数の壁パネル又は要素は、中間部分において、或いは実際に壁の全高にわたって相互に取り付けられることもできる。これらの種類のシステムは、例えば、パネル或いは要素の縁部が衝合して置かれると共に一定の間隔でしっかりと螺子止めされる色々な形の条片から構成されていることが多い。従って、これらの公知の形状の条片の取り付けは、実際にはかなり飽き飽きするものである。
本発明の目的は前述の問題を解消することであり、また前述の欠点がない壁パネルの取り付けのための新しい方法を得ることである。本発明の目的はまた、取り付けにおいて必要な道具の全てを包含しており、その要素が、この方法によって他の同様な要素に取り付けられ得るような壁要素を得ることにある。
本発明の特有の特徴は、特許請求の範囲の請求項１及び２に示されている。
本発明の手段により、パネルの全長にわたって、複数の壁パネルが正確に一列に並べられて相互にしっかりと取り付けられることができる。建築の現場で施工する際に螺子止め等の必要がないので、取り付けが迅速である。この方法において使用される条片は簡単な構造であって、製造コストが低い。
以下、添付の図面を参照して本発明を説明する。
図１  部分的に断面とした斜視図として、相互に取り付けられた複数の壁パネルを示す。
図2A及び2B  壁パネルの縁部の穴あけを示す。
図３  舌条片の構造を示す。
図４  楔条片の構造を示す。
図５  隣接して取り付けられた複数の壁パネルを上から見て示す。
図６  楔条片を打ち込む前の状態で、図５の継手のＡ−Ａ線に沿った断面を示す。
図７  楔条片を打ち込んだ後の状態で、図６の継手を示す。
図８  相互に反対向きに置かれた複数の壁パネルの壁要素構造を示す。
図１及び５は相互に隣接した複数の壁パネルL1及びL2の取り付けを示す。パネルL1の第１の側縁10はＬ形部分となるように曲げられており、第２の側縁11はＺ形部分となるように曲げられている。曲げられたＬ形部分及びＺ形部分にはそれぞれ、図2A及び2Bに示すような様式で壁パネルの高さ方向に相互に適当な間隔で複数の穴12,12'が設けられる。第２のパネルL2の両縁部はそれと同じ方法で曲げられる。パネルL2のＬ及びＺ形部分もまたそれぞれ、壁パネルの高さ方向にパネルL1のそれと同じ様式で穴12,12'を備えている。このようにして両パネルの縁部の穴12,12'はパネルL1がパネルL2に隣接して置かれた時に相互に対向することになる。図１及び５に示すように、第２のパネルL2のＬ形部分は第１のパネルL1のＺ形部分に対向して置かれる。第２のパネルのＬ形部分の穴をあけられた部分15は、第１のパネルのＺ形部分の同様に穴をあけられた部分16に向かって押しつけられる。その構造が図３に更に詳細に示されているＵ字形の形状を有する舌条片20が、パネルのＬ形部分に対して、例えば接着或いはリベットによって取り付けられる。舌条片20のＵ形断面の中間部分21には、上方に指向する複数の舌片22が条片の高さ方向に設けられている。舌片22は寸法決めされると共に適合されているので、並んで置かれたパネルL1及びL2の縁部分15,16の穴12,12'の双方を通過する。その構造が図４に更に詳細に示されているＵ字形の形状を有する楔条片30がパネルL1のＺ形部分に対向するように置かれる。楔条片のＵ形断面の中間部分31には形及び寸法を合わせた穴32が条片の高さ方向に設けられているので、楔条片がＺ形部分に対向して置かれた時に舌片22が穴32を通過する。パネルL1及びL2は、楔条片30を下方へ打ち込んで穴32の上縁33が舌片22によって形成されたポケットの中へ進入することによって、望ましくは上縁がポケットの底に達することによって相互に取り付けられる。楔条片の複数の穴32の位置は、言うまでもなく、このように条片を打ち込むことができるような位置でなければならない。以上のことから判るように、楔条片の開口は、第１の穴の上縁33が第１の舌片のポケット23の底と同じ高さとなる位置から始まる。楔条片を用いることによって、複数のパネルが相互に取り付けられると共に、あるべき位置において正しく一列に並べられる。
楽々と、建築現場において舌条片をパネルのＬ形部分に取り付けることができるが、もし条片が工場においてパネルのＬ形部分に予め取り付けられていれば、組み立ては迅速化される。できるだけきちんと締まったパネルの間の継手を得るために、舌条片はＬ形部分に堅固に取り付けられなければならない。
楽々と、楔条片を工場においてパネルのＺ形部分に固定することはできない。その理由は、組み立てにおいてこの条片を垂直方向に動かすことができることが必要であるためである。しかしながら、もし楔条片がＺ形部分に対して軽く接着するか或いは他の手段によって一時的に取り付けられるならば、それは望ましいことである。楔条片は、二つのパネルが並んで置かれた時に、舌片22が楔条片の穴32を通過するように、パネルの縁部分16に取り付けられなければならない。効果的な解決方法によれば、楔条片は、パネル自体の上方へ一枚の舌の長さの分だけ延びているように、縁部分16に一時的に固定される。打ち込まれた時に楔条片の上縁はパネルと同じ高さになる。
楔条片30の上縁には、固定部材がその中へ取り付けられ得る適当な穴34が設けられている。壁が分解される時には、適切な工具が条片を引き上げるために穴34に適合されることができ、それによって複数のパネルは相互に解放される。
効果的な実施形態によれば、図４に示されているように、楔条片の穴32は上方で狭くなっている。この方法によって、より良い取り付けが得られる。
舌条片20は、複数の舌片22がＵ形断面の中間部分21から打ち抜かれると共に望ましい様式に曲げられることによって、適切に作られる。
図６は楔条片がＺ形断面の部分16に一時的に固定される時の楔条片の位置を示している。この条片を矢印の方向に押し下げることによって、図７に示されている錠止状態が得られる。
上述の取り付け方法は特に船の建造において使用される金属プレートからなる間仕切り壁の組み立てに適している。絶縁材（断熱、防音材）をプレートの内側に取り付けることができる。プレートは、二重の層を作るために、図８に示されている方法で、相互に反対向きに配置されることができる。隣接した複数の舌条片及び隣接した複数の楔条片が相互に連結される結果、壁構造は幅方向においてもコンパクトになる。舌条片及び楔条片のＵ形断面は、それによってパネルのＺ形断面の最も外側の鍔部のための十分な空間ができるように形作られる。
この分野の専門家にとっては、特許請求の範囲の限界の中で変化する異なる実施形態を取り得ることは明らかである。
【図１】
0003602536.tif 000002
【図２Ａ】
0003602536.tif 000003
【図２Ｂ】
0003602536.tif 000004
【図３】
0003602536.tif 000005
【図５】
0003602536.tif 000006
【図４】
0003602536.tif 000007
【図６】
0003602536.tif 000008
【図７】
0003602536.tif 000009
【図８】
0003602536.tif 000010